(57)【要約】【課題】人が手で荷物を運搬することに適した、運搬用具を提供する。【解決手段】運搬用具１００は、矩形状のシート１０と、シート１０の片面に、対角線６０の両側に所定の間隔を有して配された２本のベルト２１、２２と、ベルト２１、２２の端部を、半輪を形成して、連結する２本の持ち手３１、３２と、ベルト２１、２２の間に、所定の間隔で、梯子状に連結する複数の帯４１、４２、４３、４４と、を有する。【選択図】図１
2020152475.tif 000002
【特許請求の範囲】
【請求項１】
矩形状のシートと、
前記シートに、前記シートの一つの対角線の両側に所定の間隔を有して配された２本のベルトと、
２本の前記ベルトの端部を、半輪を形成して、連結する２本の持ち手と、
２本の前記ベルトの間に、所定の間隔で、梯子状に連結する複数の帯と、
を有する運搬用具。
【請求項２】
前記シートの隅に、前記シートの角部から所定の間隔を有して、隣接する辺同士を結合した袋状部を有する、
請求項１に記載の運搬用具。
【請求項３】
前記シートの隅に、前記シートの角部及び縁部から所定の間隔を有して、複数の孔部を有する、
請求項１に記載の運搬用具。
【発明の詳細な説明】
【技術分野】
【０００１】
この発明は、荷物を運搬するために用いられる、運搬用具に関する。
【背景技術】
【０００２】
荷物を運搬するために、布製や網製のシートに、ロープ等を取付けた、モッコと呼ばれるものが使用されている。
【０００３】
例えば、特許文献１には、網目状のモッコが開示されている。
【先行技術文献】
【特許文献】
【０００４】
【特許文献１】特開２０１２−１７１５５号公報
【発明の概要】
【発明が解決しようとする課題】
【０００５】
しかしながら、モッコはクレーン等で吊り下げるためのものであるため、人が手で運搬するために用いるには適していなかった。
【０００６】
特許文献１に開示された発明は、網目体の四隅からワイヤロープを伸ばしたものである。これは、当該ワイヤロープをクレーンのフックに掛ける構造である。そのため、人が手で運搬するにはワイヤーが持ちにくい。更にワイヤーの長さも適していないため、人がこのモッコを用いて荷物を運搬することは困難である。
【０００７】
本願発明は、人が手で荷物を運搬することに適した、運搬用具を提供することを目的とする。
【課題を解決するための手段】
【０００８】
上記目的を達成するため、本発明にかかる運搬用具は、矩形状のシートと、前記シートに、前記シートの一つの対角線の両側に所定の間隔を有して配された２本のベルトと、２本の前記ベルトの端部を、半輪を形成して、連結する２本の持ち手と、２本の前記ベルトの間に、所定の間隔で、梯子状に連結する複数の帯と、を有するものである。
【０００９】
例えば、本発明に係る運搬用具は、前記シートの隅に、前記シートの頂点から所定の間隔を有して、隣接する辺同士を結合した、袋状部を有するものである。
【００１０】
例えば、本発明に係る運搬用具は、前記シートの隅に、前記シートの角部及び縁部から所定の間隔を有して、複数の孔部を有するものである。
【発明の効果】
【００１１】
本発明によれば、人が手で荷物を運搬するために適した、運搬用具を提供することが出来る。
【図面の簡単な説明】
【００１２】
【図１】本発明の実施の形態１にかかる運搬用具の正面図
【図２】本発明の実施の形態１にかかる運搬用具の袋状部を拡大した斜視図
【図３】本発明の実施の形態１にかかる運搬用具の第１の使用方法の正面図
【図４】本発明の実施の形態１にかかる運搬用具の第２の使用方法の正面図
【図５】本発明の実施の形態１にかかる運搬用具の第２の使用方法の断面図
【図６】本発明の実施の形態１にかかる運搬用具の第３の使用方法の正面図
【図７】本発明の実施の形態２にかかる運搬用具の正面図
【図８】本発明の実施の形態２にかかる運搬用具の袋状部を拡大した斜視図
【発明を実施するための形態】
【００１３】
以下、本発明の実施の形態にかかる梱包用緩衝材について、図面を参照しながら説明する。
【００１４】
（実施の形態１）
運搬用具１００は、図１に示すように、矩形状であるシート１０と、シート１０に結合されたベルト２１及び２２と、ベルト２１及び２２に結合された持ち手３１及び３２と、ベルト２１及び２２に結合された帯４１、４２、４３及び４４とを有する。
【００１５】
シート１０は、布製または網製であり、運ぶ荷物に応じた強度と柔軟性を有している。さらに、例えば布製であれば、耐水性の有無が選択されたり、また例えば網製であれば、網目の大きさや素材の太さが選択されたりする。
【００１６】
ベルト２１及び２２は、シート１０の片面に結合されている。ベルト２１及び２２の材質は、運ぶ荷物に応じた強度と柔軟性を有している。例えば、皮革製や織物製のものが選択される。ベルト２１及び２２をシート１０へ結合する方法としては、接着、縫製など、必要な強度、コストなどを勘案して適宜選択される。ベルト２１及び２２は、シート１０にある二つの対角線のうちの一つである、対角線６０と平行になるように、それぞれ対角線６０との距離が同じになるように結合されている。
【００１７】
持ち手３１及び３２は、ベルト２１の一方の端とベルト２２の一方の端を、対角線６０を跨いで、半輪を形成するように連結されている。持ち手３１及び３２は、ベルト２１及び２２と同じ材料であっても良いし、異なる材料であっても良い。持ち手３１及び３２をベルト２１及び２２に結合する方法としては、接着、縫製など、必要な強度、コストなどを勘案して適宜選択される。
なお本実施の形態では、ベルト２１及び２２、持ち手３１及び３２は、別々の部材を結合したものであるが、ベルト２１及び２２、持ち手３１及び３２が一体のものとして構成されても良い。
【００１８】
帯４１、４２、４３及び４４は、ベルト２１及び２２に結合されている。帯４１、４２、４３及び４４は、ベルト２１及び２２と同じ材料であっても良いし、異なる材料であっても良い。帯４１、４２、４３及び４４をベルト２１及び２２に結合する方法としては、接着、縫製など、必要な強度、コストなどを勘案して適宜選択される。帯４１、４２、４３及び４４は、ベルト２１及び２２に、所定の間隔で梯子状に、その両端が連結されている。本実施の形態では、対角線７０を対称軸線として、帯４１と帯４４、帯４２と帯４３のそれぞれが線対称となるように配置されている。なお、帯４１、４２、４３及び４４は、ベルト２１及び２２に対してのみ連結されていて、シート１０に対しては連結されていない。
【００１９】
シート１０の、持ち手３１、３２が無い方の二つの角部に、袋状部５０が形成されている。袋状部５０は、図２に示すように、シート１０の角部から所定の距離を有したところの、シート１０の縁同士を、接合部５１で接合することで形成されている。袋状部５０は、シート１０の荷物を載置する面である載置面に、シート１０の角部が立ち上がるように形成されている。なお、シート１０の載置面は、図１において、運搬用具１００の、裏面（奥側）である。
【００２０】
次に、運搬用具１００を用いて、荷物を運搬する方法を説明する。
【００２１】
（第１の使用方法）
荷物を運搬用具１００で運搬するには、まず運搬用具１００を、シート１０の載置面が上になるように床面等に広げる。そのとき、袋状部５０のシート１０の角部は、上方に立ち上がっている。その後、シート１０の載置面に、運搬する荷物を載置する。このとき、運搬する荷物が棒状のものであれば、その長手方向が対角線７０の方向になるようにしておく方が好ましい。
【００２２】
シート１０の積載面に、運搬する荷物の載置が完了した後、図３に示すように、持ち手３１及び３２を上方に持ち上げる。シート１０の、荷物の上になるシート１０の二つの角部は、必要に応じて重ね合わせておく。その後、袋状部５０によって荷物の落下を防止しつつ、持ち手３１及び３２を持って、荷物を運搬する。
【００２３】
（第２の使用方法）
第１の使用方法で運搬する荷物よりも少量の荷物を運搬する場合、全体をコンパクトにして運搬する。第１の使用方法のように、シート１０の載置面に運搬する荷物を載置した後、図４に示すように、持ち手３２を、帯４１とシート１０の間に通す。その状態のＡ―Ａ断面図を図５に示す。持ち手３２を、帯４１とシート１０の間に通して、持ち手３２を上方に引き上げることで、シート１０に包まれた荷物をコンパクトにまとめる。その後、持ち手３２を持って、荷物を運搬する。そのとき、持ち手３１は下方に垂らしている。なお、持ち手３１を、帯４４とシート１０の間に通しても、同様に行うことが出来る。
【００２４】
（第３の使用方法）
第２の使用方法で運搬する荷物よりもさらに少量の荷物を運搬する場合、全体をさらにコンパクトにして運搬する。第１の使用方法及び第２の使用方法のように、シート１０の載置面に運搬する荷物を載置した後、図６に示すように、持ち手３２を、帯４２とシート１０の間に通す。その結果、第２の使用法よりもさらにシート１０に包まれた荷物をコンパクトにまとめることが出来る。その後、持ち手３２を持って、荷物を運搬する。そのとき、持ち手３１は垂らしている。なお、持ち手３１を帯４３とシートの１０の間に通しても、同様に行うことが出来る。
【００２５】
（実施の形態２）
運搬用具２００は、図７に示すように、矩形状であるシート１１０と、シート１１０に結合されたベルト２１及び２２と、ベルト２１及び２２に結合された持ち手３１及び３２と、ベルト２１及び２２に結合された帯４１、４２、４３及び４４とを有する。なお、実施の形態１にかかる運搬用具１００とは、シート１１０のみが異なり、他の部分は運搬用具１００と同じであるため、同一の番号を付与している。以下、シート１１０のみについて説明をし、運搬用具１００と同一の部分については説明を省略する。
【００２６】
シート１１０の、持ち手３１、３２が無い方の二つの角部に、袋状部１５０を形成することができる、孔部１２０が形成されている。孔部１２０は、シート１１０の角部から所定の距離を有し、シート１１０の縁部から所定の距離を有した箇所に、それぞれ２個ずつ形成されている。
【００２７】
シート１１０に、袋状部１５０を形成するには、図８に示すように、隣接する二つの孔部１２０に、環状物１３０を通す。環状物１３０を小さく絞ることで、袋状部１５０を形成することが出来る。この袋状部１５０は、実施の形態１にかかる袋状部５０と同様な作用を発揮する。環状物１３０は、ロープ等であって、縛ることで小さく絞っても良い。又環状物１３０は、ワイヤー等であって、ねじり上げることで小さく絞っても良い。又環状物１３０は、成形された、開口可能な金属円環であっても良い。
【００２８】
なお、運搬用具２００を使用しないときは、環状物１３０を孔部１２０から取り外す。そうすることで、運搬用具２００を、コンパクトに折り畳んで収納することができる。
【００２９】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【符号の説明】
【００３０】
１０、１１０                                シート
２１、２２                                    ベルト
３１、３２                                    持ち手
４１、４２、４３、４４            帯
５０、１５０                                袋状部
５１                                                接合部
６０、７０                                    対角線
１００、２００                            運搬用具
１２０                                            孔部
【図１】
2020152475.tif 000003
【図２】
2020152475.tif 000004
【図３】
2020152475.tif 000005
【図４】
2020152475.tif 000006
【図５】
2020152475.tif 000007
【図６】
2020152475.tif 000008
【図７】
2020152475.tif 000009
【図８】
2020152475.tif 000010
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
矩形状のシートと、
前記シートに、前記シートの一つの対角線の両側に所定の間隔を有して配された２本のベルトと、
２本の前記ベルトの端部を、半輪を形成して、連結する２本の持ち手と、
２本の前記ベルトの間に、所定の間隔で、梯子状に連結する複数の帯と、
前記帯は、前記ベルトに対してのみ連結されていることを特徴とする運搬用具。
【請求項２】
前記シートの隅に、前記シートの角部から所定の間隔を有して、隣接する辺同士を結合した袋状部を有する、
請求項１に記載の運搬用具。
【請求項３】
前記シートの隅に、前記シートの角部及び縁部から所定の間隔を有して、複数の孔部を有する、
請求項１に記載の運搬用具。
【手続補正２】
【補正対象書類名】明細書
【補正対象項目名】０００８
【補正方法】変更
【補正の内容】
【０００８】
上記目的を達成するため、本発明にかかる運搬用具は、矩形状のシートと、前記シートに、前記シートの一つの対角線の両側に所定の間隔を有して配された２本のベルトと、２本の前記ベルトの端部を、半輪を形成して、連結する２本の持ち手と、２本の前記ベルトの間に、所定の間隔で、梯子状に連結する複数の帯と、前記帯は、前記ベルトに対してのみ連結されていることを特徴とするものである。